(57)【特許請求の範囲】
【請求項１】
顔の長さ及び目、眉、口、鼻を含む顔の形態要素の配置状態が上下中心、左右中心に寄っているか、離れているかを示す第１の指標に基づき、対象となる顔を複数のサンプルの顔立ちから形成した平均的顔と比較して位置付ける段階と、
顔の輪郭形状及び前記顔の形態要素のうち少なくとも１つの形態要素の輪郭形状が曲線的であるか、直線的であるかを示す第２の指標に基づき、前記対象となる顔を前記平均顔と比較して位置付ける段階と、
を含む顔だち分類法。
【請求項２】
顔の長さ及び目、眉、口、鼻を含む顔の形態要素の配置状態が上下中心、左右中心に寄っているか、離れているかを示す第１の指標に基づき、対象となる顔を複数のサンプルの顔立ちから形成した平均的顔と比較して位置付ける段階と、
顔の輪郭形状及び前記顔の形態要素のうち少なくとも１つの形態要素の輪郭形状が曲線的であるか、直線的であるかを示す第２の指標に基づき、前記対象となる顔を前記平均顔と比較して位置付ける段階と、
を含むメーキャップのイメージ演出のための顔だち分類法。
【請求項３】
顔の長さ及び目、眉、口、鼻を含む顔の形態要素の配置状態を示す第１の指標を示し、一方は顔の長さが短いか又は顔の形態要素が左右中心から離れている、又は顔の形態要素が上下中心に寄っている度合いを示し、他方は、顔の長さが長いか又は顔の形態要素が左右中心に寄っている、又は顔の形態要素が上下中心から離れている度合いを示す第１の軸と、
顔の輪郭形状及び前記顔の形態要素のうち少なくとも１つの形態要素の輪郭形状を示す第２の指標を示し、一方は顔の輪郭及び顔の形態要素の形状が曲線的である度合いを示し、他方は、顔の輪郭及び顔の形態要素の形状が直線的である度合いを示す第２の軸を座標軸とする座標空間を形成する段階と、
複数のサンプルの顔立ちから形成した平均顔を前記第１の指標と第２の指標に基づき座標中央に配置する段階と、
対象となる顔だちを前記第１の指標と第2の指標に基づいて前記座標空間のいずれの座標位置に位置付けられるかを把握する段階と、
前記座標位置に基づいて対象となる顔の形態を特徴別又は印象別に分類する段階と、
からなるメーキャップのイメージ演出のための顔だち分類法。
【発明の詳細な説明】
【０００１】
【発明の属する技術分野】
本発明は人の顔型を特徴別に分類する分類法に関し、顔を形態の観点から特徴点を抽出し、その特徴点に基づいて顔の分類を行う顔だち分類方法、及びこの顔だち分類法に基づく座標軸により形成した顔だちマップに関する。この顔だちマップはメーキャップによるイメージ演出に用いることができ、特に、化粧品売場や美容院における顧客への美容カウンセリング、あるいは化粧コンサルタントや美容師の教育に好適である。
【０００２】
【従来の技術】
顔のメーキャップは、通常、各自の経験や感覚に基づいて行われる場合が多いが、自らの顔のメーキャップを行うことは別として他人の顔のメーキャップを演出する場合には、対象となる顔は千差万別であり、また、夫々の要望に応じたメーキャップを施すことはかなりの経験と、特殊な感覚を必要とするもので、一定のレベルに達するまでにはかなりの年数を要する。
【０００３】
メーキャップによるイメージの演出法は、理論的に説明する試みもなされているが、従来のメーキャップによるイメージ演出は、造形理論を応用したもので、形の特徴や目に映ったときどのようにどの様な印象を受けるかを把握してメーキャップに応用するものである。例えば、図１４に示すように，直線はシャープあるいは静的なイメージを演出させ、曲線はソフトあるいは動的なイメージを演出する。したがって、眉や口の輪郭、あるいは髪の状態を直線的又は曲線的にメーキャップすることにより、それぞれ、シャープなイメージを演出したりソフトなイメージを演出したりすることができる。同様に、下降線を使用して落ちついたイメージを出したり、太い線を使用してたくましいイメージを演出することができる。
【０００４】
【発明が解決しようとする課題】
しかしながら、個々の顔にはそれぞれ独自の特徴があり、造形理論では、顔の一つ一つの部位しか応用できず、造形理論の応用だけでは、個々の顔に不釣合いなメーキャップの仕上がりになってしまうことがある。また、個々の顔だちに用いるメーキャップテクニックは本来異なるものであるがこれを系統的に示す方法はない。多くの女性の間では、思いどおりのイメージをメーキャップに演出したいというニーズは多い中で、これに応える適切なメーキャップ法はなく、その出現が待望されている。
【０００５】
本発明は上記問題点に鑑みなされたもので、顔を総合的にとらえ、顔のイメージを生起させる要因を科学的に明らかにし、その根拠に基づきメーキャップにより顔の形態、あるいは形態の見えの操作をすることで、メーキャップを用いたイメージ演出が的確、かつ簡便に実施できるようにすることを目的としてなされたもので、個々の顔だちを分析し、これを的確に分類あるいは識別することのできる顔だち分類法を提供するものである。
【０００６】
【課題を解決するための手段】
本発明による顔だち分類法は、顔の長さ及び目、眉、口、鼻を含む顔の形態要素の配置状態が上下中心、左右中心に寄っているか、離れているかを示す第１の指標に基づき、対象となる顔を複数のサンプルの顔立ちから形成した平均的顔と比較して位置付ける段階と、顔の輪郭形状及び前記顔の形態要素のうち少なくとも１つの形態要素の輪郭形状が曲線的であるか、直線的であるかを示す第２の指標に基づき、前記対象となる顔を前記平均顔と比較して位置付ける段階とを含むことを特徴とする。
また、本発明の他の態様は、顔の長さ及び目、眉、口、鼻を含む顔の形態要素の配置状態が上下中心、左右中心に寄っているか、離れているかを示す第１の指標に基づき、対象となる顔を複数のサンプルの顔立ちから形成した平均的顔と比較して位置付ける段階と、顔の輪郭形状及び前記顔の形態要素のうち少なくとも１つの形態要素の輪郭形状が曲線的であるか、直線的であるかを示す第２の指標に基づき、前記対象となる顔を前記平均顔と比較して位置付ける段階と、を含むメーキャップのイメージ演出のための顔だち分類法。
更に、本発明の他の態様は、顔の長さ及び目、眉、口、鼻を含む顔の形態要素の配置状態を示す第１の指標を示し、一方は顔の長さが短いか又は顔の形態要素が左右中心から離れている、又は顔の形態要素が上下中心に寄っている度合いを示し、他方は、顔の長さが長いか又は顔の形態要素が左右中心に寄っている、又は顔の形態要素が上下中心から離れている度合いを示す第１の軸と、顔の輪郭形状及び前記顔の形態要素のうち少なくとも１つの形態要素の輪郭形状を示す第２の指標を示し、一方は顔の輪郭及び顔の形態要素の形状が曲線的である度合いを示し、他方は、顔の輪郭及び顔の形態要素の形状が直線的である度合いを示す第２の軸を座標軸とする座標空間を形成する段階と、複数のサンプルの顔立ちから形成した平均顔を前記第１の指標と第２の指標に基づき座標中央に配置する段階と、対象となる顔だちを前記第１の指標と第2の指標に基づいて前記座標空間のいずれの座標位置に位置付けられるかを把握する段階と、前記座標位置に基づいて対象となる顔の形態を特徴別又は印象別に分類する段階と、からなるメーキャップのイメージ演出のための顔だち分類法である。
【０００７】
この分類法によれば、基本的に２種類の指標により顔だちを分析して体系的に分類することが可能となる。
【０００８】
また、顔の長さ又は目、眉、口、鼻を含む顔の形態要素の配置状態を示す第１の軸と、顔の輪郭形状と目、眉、口、鼻を含む顔の形態要素のうちの少なくとも一つの形態要素の輪郭形状を示す第２の軸の２軸からなる座標空間に対象とする顔の位置付けを行うことにより顔を形態別に的確に分類することができる。また、これにより、顔だちの特徴点と顔だち相互の類似度を容易に把握することが可能となる。
【０００９】
また、本発明による顔だちマップは、顔の長さ又は目、眉、口、鼻を含む顔の形態要素の配置状態を示すバランス軸と、顔の輪郭形状又は目、眉、口、鼻を含む顔の形態要素のうちの少なくとも一つの形態要素の輪郭形状を示す形状特性軸からなる座標空間に代表的なイメージ表示及び／又はそのイメージの代表的な顔画像を配置してなるものである。この顔だちマップを用いることにより、対象となっている顔だちがどのような特徴点とイメージをを有しているか容易に把握することができ、また、メーキャップの際に希望するイメージを演出するためにはどのようなメーキャップを施せばよいかを顔だちの形態の観点から容易に知ることができる。
【００１０】
【発明の実施の形態】
〔顔の分類法〕
顔だちを特徴別に分類するための指標を構築するため、まず人間は顔をどのようにして識別しているのか、その顔識別機構を明らかにするため、顔の類似判断を用いて以下の実験をした。
【００１１】
被験者は１２人で、２０代、３０代の女性の顔写真４０枚をサンプルとして用いて行った。
【００１２】
実験では、図１のように３枚の顔Ａ，Ｂ，Ｃを同時にモニター画面に表示して提示する。被験者はそのうちより似ているものを２枚選び、キーボードからその番号を入力する。
【００１３】
４０枚の写真を２群に分け全員の被験者が両群の評定を行った。１群につき、全ての組合せにつき、２０Ｃ３＝１１４０回の評定を繰り返し、各々が似ていると選択された累積度数（選択頻度）を記録した。なお、後の分析のため、顔の長さ、大きさ、目の上がり具合、など、長さ、面積、角度を画面上で測定した。図２乃至図４は、測定した項目の例を示すもので、図２は顔の面積を中心とする測定項目を示し、図３は目、眉、口、鼻等の顔の形態要素の配置関係を中心とする測定項目を示し、図４は目、口、眉等の顔の各形態要素の形状に関する測定項目を示すものである。
【００１４】
上記測定値について、平均値が０、分散が１となるように値を標準化したＺ得点を各顔毎に算出し、これを平均値からの逸脱度とした。図５に特に類似度の高いサンプルＳ１とＳ２について代表的な形態の項目の逸脱度を示す。なお、図５にサンプルＳ１，Ｓ２のほかに４０人のサンプルのうち最大値（ＭＡＸ）及び最小値（ＭＩＮ）を参考のために示している。
【００１５】
図５に示すように、類似度の高い顔は形態的にも類似度が多く、特に、目と輪郭の値が近似していることがわかる。また、逸脱度が大きい部分の値も近似していることがわかる。
【００１６】
以上の分析から、顔の形態の平均からの逸脱が共通しているかどうか、輪郭と目が似ているかどうかが、顔の類似性の判断に重要であることが分かる。
【００１７】
次に選択頻度を多次元尺度法により分析を行った。多次元尺度法とは、類似度に応じて対象を空間内に布置する方法である。この分析により被験者がいかなる指標を用いて類似性を判断していたか、即ち、人の顔を判断していた指標が明らかになる。
【００１８】
多次尺度法による分析では、３次元解が得られた。つまり主として３つの指標を用いて顔の類似性を判断していることが明らかとなった。
【００１９】
３つの各次元の３種類の指標を、各顔の座標値を基準変数、各顔の形態の計測値を説明変数とする重回帰分析によって推定した。その結果、第１次元目は、顔の長さが「短い」から「長い」、眉、鼻、口の配置状態が、左右中心によっている、あるいは上下中心によっているかという「顔の長さ、パーツの配置」、第２次元目は、丸く曲線的か、細長く直線的かという「目の形状」、第３次元目は、丸く曲線的か、細長く直線的かという「眉、口の形状」を示す次元であると推定された。
【００２０】
図６は、異なる次元空間に類似度の高い顔のサンプルを布置した例を示すもので、（ａ）は「顔の長さ、パーツの配置」と「目の形状」との座標空間に布置したものであり、（ｂ）は「顔の長さ、パーツの配置」と「眉、口」の形状との座標空間に布置したものであり、（ｃ）は「目の形状」と「眉、口」との座標空間に布置したものである。
【００２１】
これらの例からわかるように、３種類の座標空間において、類似度の高い群はどの座標空間においても所定の群（クラスター）をなして布置されていることがわかる。例えば、Ｓ８７３，Ｓ８８２，Ｓ７７７は常に群をなしており、また、Ｓ７５５，Ｓ７６６，Ｓ７７０，Ｓ７７３等もどの座標においても同じ群をなしている。このように結果から、「顔の長さ、パーツの配置」、「目の形状」、「眉、口の形状」が類似性の判断の指標となっていることがわかり、上記実験結果を裏付けることとなった。
【００２２】
上記の実験及び解析から、顔の類似性を判断する場合、「顔の長さ又はパーツの配置が上下中心に寄っているか、離れているか、あるいは、左右中心に寄っているか、離れているか」と「パーツの形状」が大きな役割を果たしていることが判明し、これらを指標とすることにより顔を形態の特徴別に体系的に分類し得ることが判明した。
【００２３】
図７はこれらの指標を座標軸とする座標空間を示すもので、縦軸に「顔の長さとパーツ（眉、目、鼻、口）の配置状態」を、横軸に「パーツ（眉、目、鼻、口）の形状」を座標軸としている。
【００２４】
この縦軸は、顔の長さが「短い」から「長い」、パーツが「左右中心から離れている」から「左右中心に中心に寄っている」、あるいは「パーツが上下中心に寄っている」から「上下中心から離れている」への変化を示すものである。これは、子供から大人への成長に伴う顔の変化と一致するものであり、下方に向かって「子供っぽさ」を、上方に向かって「大人っぽさ」の度合い、換言すれば、子供から大人への成長時の顔のバランスの変化を示しているものとみることができ、ここでは、「バランス軸」と名付けている。
【００２５】
また、横軸はパーツの形が曲線的か直線的かの形状特性を表しているものであり、「フォルム軸」と名付けている。
【００２６】
上記指標によって分類される場合の顔の形態と印象の関連を重回帰分析によって探ると、図７の座標の各象限による特徴を明らかにすることができた。図８は図７の座標空間の各象限に位置する形態と印象を示すものである。例えば、顔が長くて、パーツが曲線的だと（第ＩＩ象限）、やさしい女らしい印象を強くする、あるいは、顔が短くて形状が直線的であればフレッシュで活発的な印象を与える等、形態と印象との関連が明らかとなった。
【００２７】
以上のように、顔を顔の長さと目、眉、口、鼻の顔の形態要素の配置状態と、前記顔の形態要素の形状を指標として顔を分類することにより顔を形態から特徴別に分類することができ、また顔の形状から受ける印象別に分類することが可能となる。そしてこのように分類することにより、例えば後述するようにメーキャップを行う際に的確にイメージの演出が可能となる。また、美容院等の顧客リストに本発明による顔だちの分類法による分類を付与しておくことにより、顧客に合ったイメージをつくる際のガイドラインとすることができる。
〔顔だちマップ〕
上述の実験及び分析により、顔の形態と印象の因果関係を明らかにすることができたが、図９に、前述の顔だち分類法を得る過程で得た知見をもとに作成した顔だちマップの実施例を示す。
【００２８】
顔だちマップ１は、図７、図８に示した座標と同様に縦軸に「顔の長さと目、眉、口、鼻の顔の形態要素の配置」を示すバランス軸Ｙを、横軸に顔の形態要素の形状を示すフォルム軸Ｘとする２軸の座標空間２から成る。そしてこの座標空間２の中央（原点位置）に女性の「平均顔」３を配置する。また、縦軸のバランス軸Ｙの上下の各先端には、それぞれ顔の長さが長い顔４と短い顔５の画像を配置する。バランス軸Ｙの両先端部には顔の長さが長い、短い、パーツの配置が中心に寄っている、離れているなどの説明を加えている。  また、横軸のフォルム軸Ｘの両先端部には、顔の輪郭の下半分の形状と、目、鼻、口、眉の形状が曲線的あるいは直線的であることの説明を付している。
【００２９】
バランス軸Ｙとフォルム軸Ｘによって形成される座標空間１の第１乃至第４象限には、それぞれに位置する形態の持つ代表的なイメージあるいは印象の説明を加えている。例えば、第Ｉ象限においては、クール・シャープ・ダイナミック、第ＩＩ象限には、やさしい、女らしい、第ＩＩＩ  象限にはキュート・かわいらしい、第ＩＶ象限にはフレッシュ・活発というように代表的な印象を記載してある。
【００３０】
さらに、それぞれの象限には、顔の判断をしやすくするため、各象限の特徴を誇張した代表顔画像６〜９を配置している。なお、中央の平均顔３及び各象限に配置する代表顔画像６〜９は、実際にはコンピュータグラフィックの技術であるモーフィングで作成したものを用いる。例えば、中央の平均顔３は、４０名の女性の顔写真を合成したもので、図１０のような値をもっている。この平均顔を基礎にしてそれぞれの特徴を誇張してモーフィング技術により変形することにより各代表顔画像を製作することができる。
【００３１】
次に、図９に示した顔だちマップ１をメーキャップのガイドラインとして使用する例について、図１１のフローチャト及び図１２を参照して説明する。
【００３２】
先ず、メイクしようとする対象となる顔について、顔だちマップ１のバランス軸Ｙで、顔の長さ、パーツが上下中心に寄っているか、離れているか、あるいは、左右中心に寄っているか、離れているか、を見極める（ステップ１；Ｓ１）。この場合、バランス軸Ｙでは、先ず、顔の長さが長いか短いかを見る。顔の長さは、「顔の横幅」と「額から顎の長さ」の比率でみる。なお、平均顔では、この比率は約１：１．４である。
【００３３】
顔の長さで判断しずらい時には、目、鼻、口等の顔の形態要素（パーツ）の配置が左右中心に寄っているか、離れているか、あるいは上下中心に寄っているか、離れているかで見分ける。たとえば、目と目の間隔が狭かったり、目から下の頬が長く見えればバランスが大人っぽいと判断する。また、目と目の間が離れていたり、目と口がくっつき気味であればバランスが子供っぽいと判断する。
【００３４】
次に、フォルム軸Ｘで、パーツの形状を見極める。この場合、顔の輪郭の下半分がふっくらしていたり、目、鼻、口、眉等に丸みを感じる場合は、形状が曲線的であると判断する。また、輪郭の下半分が角張っていたり、シャープであったり、目、鼻、口、眉の形が直線的（シャープ）である場合は、形状が直線的であると判断する。
【００３５】
今、素顔の分析の結果、バランスが大人っぽく、形状が曲線的な印象を与えるものと判断されたとする。顔だちマップ１上では図１２（ａ）に示すように第ＩＩ象限の図示の位置に位置付けられるとする。
【００３６】
そこで、次にメーキャップの要望を聞いて把握する（ステップ２：Ｓ２）。
【００３７】
メーキャップの要望が、例えば、「クールでシャープな印象」のイメージにしたいというものであるとする。
【００３８】
イメージがクールでシャープなものは顔だちマップにおいては、第１象限に位置するものであり、現在の素顔の第ＩＩ象限の位置からの方向を顔だちマップ上で確認し、イメージ演出の方法を顔だちマップの表示を参考にして見出す（ステップ３；Ｓ３）。この場合、図１２（ｂ）に示すように、バランス軸はそのままで、フォルム軸の位置を直線的な方向に移動させればよいことがわかる。
【００３９】
次に、ステップ３において見出したイメージ演出の方法をもとにメーキャップを施す（ステップ４）。この場合、バランスが大人っぽいところはそのまま生かし、フォルム軸に沿ってパーツを直線的な方向にするようなメーキャップを施す。具体的には、眉の形、唇の輪郭を直線的に表現する。これにより、要望に応じたクールでシャープなイメージのメーキャップを演出することができる。
【００４０】
図１２（ｃ）は、メーキャップの要望が「フレッシュで活発」な印象を与えたいというものである場合の例を示す。この例では、「フレッシュ・活発」なイメージは顔だちマップ上では、第ＩＶ象限に位置する形態であり、第ＩＩ象限の素顔の状態の位置からは対極の関係にあり、イメージの変更にはかなりのテクニックが必要となる。
【００４１】
バランス軸に関しては子供っぽい方向にする。また、眉山の位置をやや低めにし、頬紅を中央部分に丸く入れるなどして顔の長さを目立たなく見せる。また、フォルム軸に関しては、直線的な方向にするため、眉、唇の輪郭を直線的に描く。これによって、大人っぽいやさしいイメージからややフレッシュな活発なイメージを演出することができる。
【００４２】
このように、本実施例に示したバランス軸とフォルム軸の２軸からなる顔だちマップを使用すると、まず、対象とする顔が形態上どの位置に属するか、また、どの様な印象を与えているかが容易に把握できる。さらに、代表的な顔画像との類似度を判断することで、座標空間上における対象となる顔の座標も容易に予測することができる。そして、演出したイメージにするためにどのようなメーキャップを施せばよいか、イメージ演出のための近道を知ることができる。
【００４３】
図１３は、顔だちマップの他の実施例を示す。顔だちマップ１０は、縦軸の大人タイプか子供タイプかを示すバランス軸と、横軸のパーツの形状が曲線的か直線的かを示すフォルム軸の２軸からなる座標空間の夫々に位置する顔だちが持つ印象を多数示したものである。このように、顔だちと印象との関連を前述の２軸の座標に多数表示しておくことにより、よりきめの細かいイメージの演出に役立てることができる。
【００４４】
なお、上述の例ではいずれも、顔だちマップは大人タイプか子供タイプかを示すバランス軸を縦軸に、パーツの形状を示すフォルム軸を横軸にしたものであるが、これらの縦軸、横軸が入れ替えても差し支えはない。また、表示する内容や、顔画像も必要に応じて適宜配置すればよい。
【００４５】
本発明による顔だちマップを使用することにより、顔の特徴を容易に見極めることができ、また、この顔だちマップは、メーキャップの際のガイドラインとすることができる。例えば、化粧品売場や美容院における顧客への化粧カウンセリング、あるいは化粧のコンサルタントや美容師の教育や実際の業務の場において有用性の高い補助具として使用することができる。
【００４６】
【発明の効果】
上述のとおり、本発明の顔だち分類法によれば、顔の長さあるいは目、口、鼻等の顔の形態要素の配置に関する指標と顔及び目、眉、口、鼻等の顔の形態要素の形状に関する指標により、顔だちを分類することで、顔の持つ特徴を体系別に分類あるいは識別することが可能となる。そして、顔の形態と印象との因果関係を明らかにした結果、この分類法により区分された顔だちと各区分が持つ印象とを予め関連付けておくことが可能となり、顔の形状により区分された顔がどのような印象をもっているかを容易に判断することができる。
【図面の簡単な説明】
【図１】顔識別機構の実験における画面の例を示す図である。
【図２】顔の面積に関する測定項目を示す図である。
【図３】顔の形態要素の配置状態に関する測定項目を示す図である。
【図４】顔の形態要素の形状に関する測定項目を示す図である。
【図５】類似顔の形態的逸脱度の例を示す図である。
【図６】多次元尺度法に用いられた座標と顔画像の布置の例を示す図である。
【図７】バランス軸及びフォルム軸の２軸からなる座標を示す図である。
【図８】座標空間の各象限の印象を示す図である。
【図９】本発明の顔だちマップの１実施例を示す図である。
【図１０】平均顔の形状を示す図である。
【図１１】顔だちマップを使用してメーキャップを行うフローチャートである。
【図１２】顔だちマップを使用してメーキャップを行う場合のイメージ演出例を示す図である。
【図１３】顔だちマップの他の例を示す図である。
【図１４】従来の造形理論によるメーキャップ演出例を示す図である。
【符号の説明】
１、１０  顔だちマップ
２  座標空間
３  平均顔
４〜９  イメージ代表顔
【図１】
0003614783.tif 000002
【図２】
0003614783.tif 000003
【図３】
0003614783.tif 000004
【図４】
0003614783.tif 000005
【図５】
0003614783.tif 000006
【図６】
0003614783.tif 000007
【図７】
0003614783.tif 000008
【図８】
0003614783.tif 000009
【図９】
0003614783.tif 000010
【図１０】
0003614783.tif 000011
【図１１】
0003614783.tif 000012
【図１２】
0003614783.tif 000013
【図１３】
0003614783.tif 000014
【図１４】
0003614783.tif 000015